(57)【特許請求の範囲】
【請求項１】
ゴム製品又はプラスチック製品を貯蔵する倉庫に配置される高膨張泡消火設備において、
前記倉庫内の空気を吸引することにより泡を生成して放射する複数の高膨張泡発生機を、貯蔵された前記製品の直上を避けるように、且つ、貯蔵された前記製品を載置する収納物ラック間に設けられる通路上の全体に、前記収納物ラック同士の側面が向かい合う前記通路上も含めて、天井側に分散して配置した
ことを特徴とする高膨張泡消火設備。
【発明の詳細な説明】
【技術分野】
【０００１】
本発明は、例えばゴム製品やプラスチック製品を貯蔵する倉庫の高膨張泡消火設備に関する。
【背景技術】
【０００２】
従来、一定量以上のゴム製品やプラスチック製品を貯蔵または取扱う倉庫や流通センターあるいは工場などは、危険物貯蔵所または取扱所と定められ、スプリンクラーなどの固定消火設備を設置しなければならない。高膨張泡消火設備（例えば、発泡倍率約500倍、泡発生機1台の泡放出量として約500ｍ3/min）が消火手段の一つとして使われているが、十分な発泡倍率を得るために屋外の空気を吸引する方式が一般的で、建屋にダクトを貫接したり、壁に穴を開けて泡発生機を仮設したりしているため、コストが高いなどの問題がある。そこで、泡を放出する区画内の空気を利用するインサイドエア方式の高膨張泡消火設備の使用について、例えば船舶の場合に、エンジンルームに高膨張泡消火設備を設置し、そのエンジンルームで火災があったときに室内の空気によって特殊な泡消火薬剤を発泡させて消火を行なうことが提案されている（例えば特許文献１参照）。
【特許文献１】特開平６−１６５８３７号公報
【発明の開示】
【発明が解決しようとする課題】
【０００３】
ところで、ゴムのような製品は燃焼とともに多量の煙やガスが発生し、これら煙やガスを吸引すると泡発生機から放出される泡の発泡倍率が低下することが知られている。そのため、火災が発生した室内の空気を吸引するインサイドエア方式の高膨張泡消火設備では、泡発生機が集中して設置され、または少数の大型泡発生機でシステムが組まれていると、火災が泡発生機の近くで起こった場合、発泡倍率が低下して火災の進展に間に合うだけの泡放出量が得られず、周囲への延焼拡大が懸念される。
【０００４】
本発明は、このような問題点を解決するためになされたものであり、可燃物の燃焼によって発生する煙やガスの影響で一部の泡発生機の発泡倍率が低下しても、システム全体として消火性能を保持し得るインサイドエア方式の高膨張泡消火設備を提供することを目的とする。
【課題を解決するための手段】
【０００５】
本発明に係る高膨張泡消火設備は、ゴム製品又はプラスチック製品を貯蔵する倉庫に配置される高膨張泡消火設備において、前記倉庫内の空気を吸引することにより泡を生成して放射する複数の高膨張泡発生機を、貯蔵された前記製品の直上を避けるように、且つ、貯蔵された前記製品を載置する収納物ラック間に設けられる通路上の全体に、前記収納物ラック同士の側面が向かい合う前記通路上も含めて、天井側に分散して配置したものである。
【発明の効果】
【０００６】
本発明においては、複数の高膨張泡発生機を、貯蔵された前記製品の直上を避けるように、且つ、貯蔵された前記製品を載置する収納物ラック間に設けられる通路上の全体に、前記収納物ラック同士の側面が向かい合う前記通路上も含めて、天井側に分散して配置したので、火源直近の高膨張泡発生機の発泡倍率が煙やガスの影響で低下しても、それ以外の高膨張泡発生機の泡放出により消火効果を補うことができる。このため、高膨張発生機システムの全体としての消火能力が低下せず、確実に消火することができる。
また、本発明においては、高膨張泡発生機を貯蔵された製品の直上を避けるように配置することで、貯蔵されている可燃物の燃焼による煙やガスの直撃を受け難くしている。
【発明を実施するための最良の形態】
【０００７】
図１は本発明の一実施形態に係る泡消火設備の構成図である。同図において、倉庫１は、壁など区切られていない一つの倉庫又は耐火壁等で複数に仕切られた防火区画のうち一つの区画を示している。倉庫１内には可燃性収納物ラック２が複数台積み重ねられており、この可燃性収納物ラック２には例えばタイヤ等のゴム製品やプラスチック製品が載置される。可燃性収納物ラック２の上部（倉庫１の天井側）には火災検知器３が所定の消火区画に対応してそれぞれ配置されている。火災検知器３は常時は現場の状況（温度や煙等）を監視して、火災が起きた場合にはこの火災発生信号を火災受信機４に送信し、火災受信機４は火災検知器３の火災発生信号に基づいて火災警報を発するとともに火災表示をし、更に消火設備制御盤５に火災発生信号を送信する。水槽６には消火用水が貯蔵され、加圧送水装置（ポンプ）７が消火設備制御盤５からの制御指令に基づいて消火用水を汲み上げて送り出す。この加圧送水装置（ポンプ）７からの消火用水は、泡消火薬剤タンク８の泡消火薬剤と混合装置９で混合され、混合生成された泡水溶液は消火用配管１０に送り出される。また、この泡消火薬剤タンク８は、加圧送水装置（ポンプ）７による送水圧力が加えられると、泡消火薬剤を送出する構成になっている。
【０００８】
消火用配管１０には一斉開放弁１１が取り付けられており、更にその下流側は複数の高膨張泡発生機１２が倉庫１の天井側全体に分散して配設されている。高膨張泡発生機１２は通常天井側に配設されているが、必要に応じて天井側から下方に引き降ろして例えば可燃性収納物ラック２の近傍まで引き降ろす。この高膨張泡発生機１２は一斉開放弁１１が開放されると一斉に高膨張泡を放出する。火災検知器３と火災受信機４とは火災検知器配線１３で接続されており、火災検知器３からの火災発生信号が火災検知器配線１３を介して火災受信機４に送信される。消火設備制御盤５と一斉開放弁１１とは一斉開放弁配線１４で接続されており、消火設備制御盤５からの制御信号が一斉開放弁配線１４を介して一斉開放弁１１に供給される。また、消火設備制御盤５と加圧送水装置（ポンプ）７とはポンプ制御配線１５で接続されており、消火設備制御盤５からの制御信号（起動信号）がポンプ制御配線１５を介して加圧送水装置（ポンプ）７に供給される。また、火災受信機４には手動起動装置１６が接続されている。可燃性収納物ラック２は、通常金属性のパイプをフレームとして形成されている。ラック上に積まれる例えばタイヤは、図示しないが、ドーナツの形状を有し、タイヤ同士が肩並びのように縦置きされている。そのため、タイヤ火災が発生すると、上記ドーナツで形成された空洞には燃焼が早く、且つ横に延焼しやすいという特徴がある。
【０００９】
図２は、高膨張泡発生機１２の配置状態を示した説明図である。高膨張泡発生機１２は、倉庫１において、例えばタイヤ等のゴム製品やプラスチック製品等の火災になり易い製品が積まれる可燃性収納物ラック２だけではなく、可燃性収納物ラック２の上方の空間の全体に亘るように分散して配設されている。この高膨張泡発生機１２の泡放出流量は例えば約２００ｍ3／ｍｉｎで、従来の大流量泡発生機の半分以下の容量となっている。
【００１０】
図３は、同様に高膨張泡発生機１２の配置状態を示した説明図である。高膨張泡発生機１２は、倉庫１において、可燃性収納物ラック２の上方を避けて、通路上の全体にわたるように分散して配置されている。このように高膨張泡発生機１２を配置することにより、可燃物の燃焼による煙やガスの直撃を受け難くするばかりか、設置工事や保守点検が容易になる。
【００１１】
次に、図１、図２及び図３の高膨張泡消火設備の動作について説明する。
（１）図１の倉庫１内で可燃性収納物ラック２に載置されている例えばタイヤが何らかの原因で燃えて火災が発生すると、火災検知器３が作動して火災発生信号を火災受信機４に送信する。
（２）火災受信機４は火災検知器３からの火災発生信号を受信すると、その火災発生信号に基づいて火災警報を発するとともに火災表示をし、更に、消火設備制御盤５に火災発生信号を送信する。
（３）消火設備制御盤５は、火災発生信号を受信すると、火災表示をするとともに一斉開放弁１１を開放する。更に、加圧送水装置（ポンプ）７を起動させて水槽６の消火用水を送水させる。この加圧送水装置（ポンプ）７の起動により泡消火薬剤タンク８が加圧され、泡消火薬剤タンク８から泡消火薬剤が送出される。
【００１２】
（４）混合装置９は、水槽６からの消火用水と泡消火薬剤タンク８からの泡消火薬剤とを混合して泡水溶液を継続して送出する。
（５）高膨張泡発生機１２は、消火用配管１０内の泡水溶液と空気とを混合して泡を生成して放射する。高膨張泡発生機１２から泡が放射されることにより、その泡が、火災が発生した可燃性収納物ラック２だけでなく他の可燃性収納物ラック２を覆うとともに、可燃性収納物ラック２と可燃性収納物ラック２との間の隙間にも堆積し、火災が発生した可燃性収納物ラック２の周囲を覆う。このため、例えばタイヤ火災は、上記のように燃焼が早く、且つ横に延焼しやすいが、確実に消火することができる。また、高膨張泡発生機１２は天井側から下方に引き降ろし可能な構造を有しているので、天井面に燃焼により発生した煙が溜まるときに、高膨張泡発生機１２を引き降ろして、煙の層を避けて発泡すれば、発泡能力の低下を防ぐことができ、確実に消火することができる。なお、上記の説明においては、火災検知器３が作動する例について説明したが、作業員等により火災を発見した場合には、手動起動装置１６を操作することにより、火災受信機４がその起動信号を取り込むことにより上記の例の同様な動作が得られる。
【００１３】
以上のように本実施形態においては、比較的小型の高膨張泡発生機１２を倉庫１の空間の全体に亘って分散して配設しており、このため、仮に火源直近の高膨張泡発生機１２の発泡倍率が煙やガスの影響で低下するということがあっても、それ以外の高膨張泡発生機１２は火源より離れているので、煙やガスの影響を受けず、高膨張泡放出により消火効果を補うことができるので、ゴム製品やプラスチック製品の倉庫１の火災を確実に消すことができる。
また、高膨張泡発生機１２が可燃性収納物ラック２の直上ではなく、それを避けた通路の上方に配置されたので、タイヤの燃焼による煙やガスの直撃を受け難く、火災を確実に消すことができる。
また、高膨張泡発生機１２が天井側から引き降ろすことが可能な構造になっているため、天井面に燃焼による大量の煙が溜まっても、高膨張泡発生機１２がその煙の層を避けることができ、発泡倍率が煙の影響で低下することなく、ゴム製品やプラスチック製品の倉庫１の火災を確実に消すことができる。
【図面の簡単な説明】
【００１４】
【図１】本発明の一実施形態に係る泡消火設備の構成図である。
【図２】高膨張泡発生機の配置状態を示した説明図である。
【図３】倉庫の通路上に高膨張泡発生機を分散配置した状態を示した説明図である。
【符号の説明】
【００１５】
１ 倉庫、２ 可燃性収納物ラック、３ 火災検知器、４ 火災受信機、５ 消火設備制御盤、６ 水槽、７ 加圧送水装置（ポンプ）、８ 泡消火薬剤タンク、９ 混合装置、１０ 消火用配管、１１ 一斉開放弁、１２ 高膨張泡発生機、１３ 火災検知器配線、１４ 一斉開放弁配線、１５ ポンプ制御配線、１６ 手動起動装置。
【図１】
0004827572.tif 000002
【図２】
0004827572.tif 000003
【図３】
0004827572.tif 000004